(57)【要約】      （修正有）【課題】操作性を向上させることができる情報処理装置を提供する。【解決手段】印刷装置は、ＵＳＢホストインタフェース、電圧監視部、及び電力制御部を備え、ＵＳＢホストインタフェースは、ＵＳＢデバイスと通信すると共に、ＵＳＢデバイスに電力を供給し、電圧監視部は、ＵＳＢデバイスがＵＳＢホストインタフェースに接続されたことを検出し、電力制御部は、印刷装置の消費電力を制御し、印刷装置が省電力モードで動作中に、ＵＳＢデバイスがＵＳＢホストインタフェースに接続されたときは、省電力モードから通常動作モードへ切換える。【選択図】図３
2007004783.tif 000002
【特許請求の範囲】
【請求項１】
通常動作が可能な通常動作状態、又は消費電力の少ない省電力状態で動作する情報処理装置において、
外部装置と通信すると共に前記外部装置に電力を供給する通信手段と、
前記外部装置が前記通信手段に接続されたことを検出する検出手段と、
前記情報処理装置を制御する制御手段と、
前記情報処理装置の消費電力を制御する電力制御手段とを備え、
前記電力制御手段は、前記情報処理装置が前記省電力状態で動作中に、前記通信手段及び前記制御手段への電力供給を行わず、前記外部装置が前記通信手段に接続されたときは、前記情報処理装置を前記省電力状態から前記通常動作状態へ移行させることを特徴とする情報処理装置。
【請求項２】
前記電力制御手段は、前記情報処理装置が前記通常動作状態にある場合において、前記通信手段への電力供給を行うよう制御することを特徴とする請求項１記載の情報処理装置。
【請求項３】
前記電力制御手段は、前記情報処理装置が前記通常動作状態にある場合において、前記制御手段への電力供給を行うよう制御することを特徴とする請求項１または２記載の情報処理装置。
【請求項４】
前記通信手段へ電力を供給する電力供給ラインを更に備え、前記検出手段は、前記電力供給ラインの電圧降下を検出することにより、前記外部装置が前記通信手段に接続されたことを検出することを特徴とする請求項１乃至３のいずれか１項に記載の情報処理装置。
【請求項５】
前記電力供給ラインに並列に設けられたスイッチ及び抵抗器を更に備え、前記スイッチは、前記情報処理装置が前記省電力状態で動作中は電源供給を遮断することを特徴とする請求項４記載の情報処理装置。
【請求項６】
前記外部装置が前記通信手段に接続されたときに、当該外部装置内に格納されたデータを印刷する印刷手段を備えることを特徴とする請求項１乃至５のいずれか１項に記載の情報処理装置。
【請求項７】
前記外部装置が前記通信手段に接続されたときに、当該外部装置内に格納されたデータを記憶する記憶手段を備えることを特徴とする請求項１乃至６のいずれか１項に記載の情報処理装置。
【請求項８】
前記外部装置が前記通信手段に接続されたときに、当該外部装置内に格納されたデータを他の装置に送信する送信手段を備えることを特徴とする請求項１乃至７のいずれか１項に記載の情報処理装置。
【請求項９】
前記制御手段及び前記通信手段を制御する通信制御手段は、同一チップ上に設けられていることを特徴とする請求項１乃至８のいずれか１項に記載の情報処理装置。
【請求項１０】
前記通信手段はユニバーサルシリアルバス（ＵＳＢ）のホストインタフェースであることを特徴とする請求項１乃至９のいずれか１項に記載の情報処理装置。
【請求項１１】
前記外部装置は、ＵＳＢメモリであることを特徴とする請求項１０記載の情報処理装置。
【請求項１２】
前記通信手段はIEEE1394のインタフェースであることを特徴とする請求項１乃至９のいずれか１項に記載の情報処理装置。
【請求項１３】
前記外部装置が前記通信手段に接続されたときに、当該外部装置内に格納されたデータに関する情報を表示する表示手段を備えることを特徴とする請求項１乃至１２のいずれか１項に記載の情報処理装置。
【請求項１４】
前記外部装置内に格納されたデータに関する情報は、前記データに対して実行すべき処理を選択するための情報であることを特徴とする請求項１３記載の情報処理装置。
【請求項１５】
前記実行すべき処理は、印刷手段による印刷、記憶手段による記憶、及び送信手段による他の装置に送信を含むことを特徴とする請求項１４記載の情報処理装置。
【請求項１６】
通常動作が可能な通常動作状態、又は消費電力の少ない省電力状態で動作し、外部装置と通信すると共に前記外部装置に電力を供給する通信手段と、制御手段とを備える情報処理装置の制御方法において、
前記外部装置が前記通信手段に接続されたことを検出する検出ステップと、
前記情報処理装置の消費電力を制御する電力制御ステップとを備え、
前記電力制御ステップは、前記情報処理装置が前記省電力状態で動作中に、前記通信手段及び前記制御手段への電力供給を行わず、前記外部装置が前記通信手段に接続されたときは、前記情報処理装置を前記省電力状態から前記通常動作状態へ移行させることを特徴とする制御方法。
【請求項１７】
通常動作が可能な通常動作状態、又は消費電力の少ない省電力状態で動作し、外部装置と通信すると共に前記外部装置に電力を供給する通信手段と、制御手段とを備える情報処理装置で実行されるプログラムにおいて、
前記外部装置が前記通信手段に接続されたことを検出する検出モジュールと、
前記情報処理装置の消費電力を制御する電力制御モジュールとをコンピュータに実行させ、
前記電力制御モジュールは、前記情報処理装置が前記省電力状態で動作中に、前記通信手段及び前記制御手段への電力供給を行わず、前記外部装置が前記通信手段に接続されたときは、前記情報処理装置を前記省電力状態から前記通常動作状態へ移行させることを特徴とするプログラム。
【請求項１８】
請求項１７記載のプログラムを格納したことを特徴とするコンピュータ読み取り可能な記憶媒体。
【発明の詳細な説明】
【技術分野】
【０００１】
本発明は、情報処理装置及びその制御方法、並びにプログラム及び記憶媒体に関する。
【背景技術】
【０００２】
従来より、未使用時の消費電力を低減させるために、所定時間以上使用されなかったときに、印刷処理等が可能な通常動作モードから消費電力の低い省電力モードへ移行する印刷装置が知られている。このような印刷装置において、省電力モードでは、印刷装置を制御するマイクロプロセッサや、通信手段を制御する通信コントローラ等への電力供給が遮断される。
【０００３】
また、印刷装置が省電力モードで動作中に、該印刷装置にＵＳＢインタフェースを介して接続されたデジタルカメラからのユーザ操作により印刷装置を通常動作モードに復帰させ、印刷動作を行わせることができる情報処理システムが提案されている（例えば、特許文献１参照）。
【特許文献１】特開２００４−１２７１８８号公報
【発明の開示】
【発明が解決しようとする課題】
【０００４】
しかしながら、上記特許文献１に記載された情報処理システムでは、デジタルカメラからユーザ操作を行わなければ、印刷装置を通常動作モードに復帰させることができない。従って、省電力モードで動作中に、印刷すべきデータが格納されたＵＳＢメモリ等が該印刷装置に接続された場合、ユーザが手動で印刷装置の操作部を操作して印刷処理等が可能な通常動作モードに復帰させた後に、操作部から印刷指示を行う必要があり、操作性が低い。
【０００５】
本発明の目的は、操作性を向上させることができる情報処理装置及びその制御方法、並びにプログラム及び記憶媒体を提供することにある。
【課題を解決するための手段】
【０００６】
上記目的を達成するために、請求項１記載の情報処理装置は、通常動作が可能な通常動作状態、又は消費電力の少ない省電力状態で動作する情報処理装置において、外部装置と通信すると共に前記外部装置に電力を供給する通信手段と、前記外部装置が前記通信手段に接続されたことを検出する検出手段と、前記情報処理装置を制御する制御手段と、前記情報処理装置の消費電力を制御する電力制御手段とを備え、前記電力制御手段は、前記情報処理装置が前記省電力状態で動作中に、前記通信手段及び前記制御手段への電力供給を行わず、前記外部装置が前記通信手段に接続されたときは、前記情報処理装置を前記省電力状態から前記通常動作状態へ移行させることを特徴とする。
【０００７】
請求項１６記載の制御方法は、通常動作が可能な通常動作状態、又は消費電力の少ない省電力状態で動作し、外部装置と通信すると共に前記外部装置に電力を供給する通信手段と、制御手段とを備える情報処理装置の制御方法において、前記外部装置が前記通信手段に接続されたことを検出する検出ステップと、前記情報処理装置の消費電力を制御する電力制御ステップとを備え、前記電力制御ステップは、前記情報処理装置が前記省電力状態で動作中に、前記通信手段及び前記制御手段への電力供給を行わず、前記外部装置が前記通信手段に接続されたときは、前記情報処理装置を前記省電力状態から前記通常動作状態へ移行させることを特徴とする。
【０００８】
請求項１７記載のプログラムは、通常動作が可能な通常動作状態、又は消費電力の少ない省電力状態で動作し、外部装置と通信すると共に前記外部装置に電力を供給する通信手段と、制御手段とを備える情報処理装置で実行されるプログラムにおいて、前記外部装置が前記通信手段に接続されたことを検出する検出モジュールと、前記情報処理装置の消費電力を制御する電力制御モジュールとをコンピュータに実行させ、前記電力制御モジュールは、前記情報処理装置が前記省電力状態で動作中に、前記通信手段及び前記制御手段への電力供給を行わず、前記外部装置が前記通信手段に接続されたときは、前記情報処理装置を前記省電力状態から前記通常動作状態へ移行させることを特徴とする。
【発明の効果】
【０００９】
本発明によれば、情報処理装置が省電力状態で動作中に、外部装置が通信手段に接続されたときは、外部装置からの電力供給を受けなくても、省電力状態から通常動作状態へ移行させるので、情報処理装置の操作性を向上させることができる。
【００１０】
また、通信手段へ電力を供給する電力供給ラインの電圧降下を検出することにより、外部装置が通信手段に接続されたことを検出するので、外部装置が通信手段に接続されたことを検出して省電力状態から通常動作状態に移行することができる。
【００１１】
また、外部装置が通信手段に接続されたときに、当該外部装置内に格納されたデータに関する情報を表示するので、外部装置が通信手段に接続されたときに、直ちに外部装置内に格納された画像データに対して印刷などの処理を実行し、もって情報処理装置の操作性を更に向上させることができる。
【発明を実施するための最良の形態】
【００１２】
以下、本発明の実施の形態を図面を参照しながら詳述する。
【００１３】
図１は、本発明の実施の形態に係る情報処理装置の内部構成を示すブロック図である。
【００１４】
図１において、本発明の実施の形態に係る情報処理装置としての印刷装置１００は、印刷処理等が可能な通常動作モード、又は消費電力の低い省電力モードで動作し、省電モード時で動作中に電力の供給が遮断される省電ブロック１０１を備える。省電ブロック１０１は、各機能を搭載したシステムＬＳＩ（Large Scale Integration）１０５と、システムＬＳＩ１０５に夫々接続されたＲＯＭ（Read Only Memory）１０３及び操作部１１０とを備える。
【００１５】
印刷装置１００は、また、ＤＲＡＭ（Dynamic Random Access Memory）１０４と、プリンタエンジン１８０とを備え、これらは、システムＬＳＩ１０５に夫々接続されている。
【００１６】
印刷装置１００は、更に、電力制御部１２０と、省電キー１１１と、電圧監視部１７４と、ＵＳＢ（Universal Serial Bus）ホストインタフェース１６０（通信手段）と、電源１７０と、ＦＥＴ（Field Effect Transistor）スイッチ１７１，１７２と、抵抗器１７３とを備える。
【００１７】
電源１７０は、電源ライン２１１を介して省電ブロック１０１に３．３Ｖの電圧で電力を供給すると共に、電力供給線（Ｖｂｕｓ）２０３を介してＵＳＢホストインタフェース１６０に５Ｖの電圧で電力を供給する。ＦＥＴスイッチ１７１は電源ライン２１１上に設けられ、ＦＥＴスイッチ１７２及び抵抗器１７３はＶｂｕｓ２０３上に並列に設けられている。
【００１８】
ＵＳＢホストインタフェース１６０は、２本のデータ線（Ｄ＋，Ｄ−）２０１，２０２を介してシステムＬＳＩ１０５に接続され、システムＬＳＩ１０５とデータの送受信を行う。また、ＵＳＢホストインタフェース１６０は、接地線（ＧＮＤ）２０４を介して接地されている。ＵＳＢホストインタフェース１６０は、ＵＳＢメモリ等のＵＳＢデバイス（不図示）と通信を行うために用いられる。
【００１９】
システムＬＳＩ１０５は、図示しないが、印刷装置１００の全体の制御を司るマイクロプロセッサ、ＲＯＭ１０３のアクセス制御を行うＲＯＭ制御部、ＤＲＡＭ１０４のアクセス制御を行うＤＲＡＭ制御部、ＵＳＢホストインタフェース１６０を制御するＵＳＢ制御部、ビットマップ画像を生成する画像展開部、及びＤＲＡＭ１０４上に展開された画像データをシリアルのビデオ信号に変換するビデオインタフェース部等を含む。
【００２０】
ＲＯＭ１０３は、マイクロプロセッサが実行するプログラムコードやフォント情報等を格納している。操作部１１０は、ユーザにより印刷装置１００の各種設定を行うために用いられる。ＤＲＡＭ１０４は、マイクロプロセッサのワーク領域や画像データを格納している。
【００２１】
省電キー１１１は、ユーザにより省電力モードと通常動作モードを切換えるために用いられ、省電キー復帰信号を信号線２０８を介して電力制御部１２０に出力する。電圧監視部１７４は、Ｖｂｕｓ２０３の電圧を監視する。Ｖｂｕｓ２０３の電圧が降下したときは、ＵＳＢ復帰信号を信号線２１４を介して電力制御部１２０に出力する。
【００２２】
電力制御部１２０は、ＦＥＴスイッチ１７１，１７２に電源制御信号を信号線２１０を介して出力し、ＦＥＴスイッチ１７１，１７２のオン／オフを制御することにより、省電ブロック１０１及びＵＳＢホストインタフェース１６０への電力供給を制御する。ＦＥＴスイッチ１７１，１７２は、電源制御信号を信号線２１０を介して入力された電源制御信号がＨｉｇｈレベルのときはオフ、Ｌｏｗレベルのときはオンになる。
【００２３】
印刷装置１００は、ＦＥＴスイッチ１７１，１７２をオンにすることにより印刷処理等が可能な通常動作モードで動作し、ＦＥＴスイッチ１７１，１７２をオフにすることにより消費電力の低い省電力モードで動作する。
【００２４】
図２は、図１における電力制御部１２０の内部構成を示すブロック図である。
【００２５】
図２において、電力制御部１２０は、電圧監視部１２１と、ＯＲ回路１２２と、フリップフロップ１２３と、インバータ回路１３０，１３１，１３２，１３３，１３４，１３５と、プルダウン抵抗２１９とを備える。
【００２６】
フリップフロップ１２３は、印刷装置１００の省電力モード及び通常動作モード間の切換を行い、切換えられた動作モードに対応する状態を保持する。電圧監視部１２１は、電源ライン２１１の電圧を監視することにより電源１７０のオン／オフを検出し、リセット信号を信号線２２１を介してインバータ回路１３０に出力する。また、省電キー１１１からの省電キー復帰信号は、信号線２０８を介して、インバータ回路１３１に入力される。さらに、電圧監視部１７４からのＵＳＢ復帰信号は、信号線２１４介して、インバータ回路１３２に入力される。システムＬＳＩ１０５内のマイクロプロセッサは、アイドル状態が所定期間を超えると、消費電力を低減させるために、信号線２０９を介して電源遮断信号をインバータ回路１３４に出力する。
【００２７】
ＯＲ回路１２２は、省電力モードから通常動作モードへの移行条件を示す信号の論理和をとる。即ち、電力制御部１２０の電圧監視部１２１からのリセット信号、省電キー１１１からの省電キー信号、及び電圧監視部１７４からのＵＳＢ復帰信号が入力されたインバータ回路１３０，１３１，１３２は、それぞれこれらの信号を反転して移行条件を表す出力信号をＯＲ回路１２２に出力する。ＯＲ回路１２２は、これらの移行条件を示す信号の論理和を示す信号を、インバータ回路１３３に出力する。インバータ回路１３３は、当該移行条件示す信号の論理和を示す信号を反転して、フリップフロップのＳＥＴ端子に入力する。一方、信号線２０９を介して電源遮断信号が入力されるインバータ回路１３４の出力は、フリップフロップ１２３のＲＳＴ端子に入力される。フリップフロップ１２３の出力は、インバータ回路１３５に入力される。インバータ回路１３５の出力は、電源制御信号として、信号線２１０を介して、ＦＥＴスイッチ１７１，１７２に入力され、そのオン／オフを制御する。プルダウン抵抗２１９は、システムＬＳＩ１０５の電源供給が遮断されたときに信号線２０９を介してインバータ１３４に入力される電源遮断信号のレベルを安定させる。
【００２８】
図３は、図１の印刷装置１００のマイクロプロセッサによって実行される動作モード切換処理の手順を示すフローチャートである。
【００２９】
図３において、印刷装置１００の電源１７０が投入されると（ステップＳ３０１）、電力制御部１２０内の電圧監視部１２１は、電源ライン２１１の電圧レベルが所定値に達してから一定の期間、信号線２２１を介してリセット信号をインバータ回路１３０に出力する（ステップＳ３０２）。電力制御部１２０のフリップフロップ１２３は、信号線２２１を介してインバータ回路１３０にリセット信号が入力されると、印刷装置１００の通常動作モードを設定する状態にセットされ、電力制御部１２０は、Ｌｏｗレベルの電源制御信号を信号線２１０を介してＦＥＴスイッチ１７１，１７２に出力する（ステップＳ３０３）。Ｌｏｗレベルの電源制御信号が入力されると、ＦＥＴスイッチ１７１，１７２はオンになる（ステップＳ３０４）。
【００３０】
ＦＥＴスイッチ１７１，１７２がオンになることにより、省電ブロック１０１に電源１７０から電力が供給され、システムＬＳＩ１０５内のマイクロプロセッサが起動し、印刷装置１００は印刷処理等が可能な通常動作モードで動作する（ステップＳ３０５）。
【００３１】
システムＬＳＩ１０５内のマイクロプロセッサは、アイドル状態が所定期間を超えると（ステップＳ３０６でＹＥＳ）、信号線２０９を介してＨｉｇｈレベルの電源遮断信号を電圧制御部１２０のインバータ回路１３４に出力する（ステップＳ３０７）。フリップフロップ１２３は、信号線２０９を介してインバータ回路１３４にＨｉｇｈレベルの電源遮断信号が入力されると、印刷装置１００の省電力モードを設定する状態にリセットされ、電力制御部１２０は、Ｈｉｇｈレベルの電源制御信号を信号線２１０を介してＦＥＴスイッチ１７１，１７２に出力する（ステップＳ３０８）。
【００３２】
信号線２１０を介してＨｉｇｈレベルの電源制御信号が入力されると、ＦＥＴスイッチ１７１，１７２はオフになる（ステップＳ３０９）。ＦＥＴスイッチ１７１，１７２がオフになることにより、電源１７０から省電ブロック１０１への電力供給が遮断されると共に、電源１７０から抵抗器１７３を通ってＵＳＢホストインタフェース１６０に電力が供給されうる状態に移行し、印刷装置１００は消費電力の低い省電力モードで動作する（ステップＳ３１０）。つまり、ＵＳＢデバイスがＵＳＢホストインタフェース１６０に接続されていない状態においては、ＵＳＢホストインタフェース１６０に電圧はかかるが、電流は流れていない。
【００３３】
次に、ユーザにより省電キー１１１が押下されたことを検出するか、ＵＳＢデバイスがＵＳＢホストインタフェース１６０に接続されたことを検出すると（ステップＳ３１１）（検出ステップ）、省電キー１１１又はＵＳＢホストインタフェース１６０は、Ｌｏｗレベルの省電キー復帰信号を信号線２０８を介して電力制御部１２０のインバータ回路１３１に、又はＬｏｗレベルのＵＳＢ復帰信号を信号線２１４を介して電力制御部１２０のインバータ回路１３２に出力し（ステップＳ３１２）、ステップＳ３０３に戻る。
【００３４】
電力制御部１２０のフリップフロップ１２３は、信号線２１４を介してＵＳＢ復帰信号がインバータ回路１３２に入力されると、印刷装置１００の通常動作モードを設定する状態にセットされ、電力制御部１２０は、Ｌｏｗレベルの電源制御信号を信号線２１０を介して出力し（ステップＳ３０３）、ＦＥＴスイッチ１７１，１７２がオンになる（ステップＳ３０４）（電力制御ステップ）。ＦＥＴスイッチ１７１，１７２がオンになることにより、省電ブロック１０１に電源１７０から電力が供給されると共に、電源１７０からＦＥＴスイッチ１７２を通ってＵＳＢホストインタフェース１６０に電力が供給され、印刷装置１００は通常動作モードに移行する（ステップＳ３０５）。
【００３５】
図３の処理によれば、ＵＳＢデバイスがＵＳＢホストインタフェース１６０に接続されたことを検出すると（ステップＳ３１１）、ＵＳＢホストインタフェース１６０は、ＬｏｗレベルのＵＳＢ復帰信号を信号線２１４を介して電力制御部１２０のインバータ回路１３２に出力する（ステップＳ３１２）ので、印刷装置１００の操作性を向上させることができる。
【００３６】
ここで、ステップＳ３１１において、ＵＳＢデバイスがＵＳＢホストインタフェース１６０に接続されたことを検出する方法を図４のフローチャートを参照して説明する。
【００３７】
図４は、図３のステップＳ３１１で実行されるＵＳＢデバイス検出処理の手順を示すフローチャートである。
【００３８】
図４において、印刷装置１００が省電力モードで動作中に、ユーザによりＵＳＢメモリ等のＵＳＢデバイスがＵＳＢホストインタフェース１６０に接続されると（ステップＳ４０１）、ＦＥＴスイッチ１７２はオフであるので、電源１７０から抵抗器１７３を通ってＵＳＢデバイスに電流が流れ込む（ステップＳ４０２）。
【００３９】
次に、通常の電圧が５ｖであるＶｂｕｓ２０３の電圧が抵抗器１７３によって電圧降下する（ステップＳ４０３）。電圧監視部１７４は、Ｖｂｕｓ２０３の電圧降下を検出すると、信号線２１４を介してＬｏｗレベルのＵＳＢ復帰信号を電力制御部１２０のインバータ回路１３２に出力し（ステップＳ４０４）、本処理を終了する。
【００４０】
図４の処理によれば、電圧監視部１７４は、Ｖｂｕｓ２０３の電圧降下を検出すると、信号線２１４を介してＬｏｗレベルのＵＳＢ復帰信号を電力制御部１２０のインバータ回路１３２に出力する（ステップＳ４０４）ので、印刷装置１００は、ＵＳＢデバイスがＵＳＢホストインタフェース１６０に接続されたことを検出して省電力モードから通常動作モードに移行することができる。
【００４１】
次に、図３の動作モード切換処理において、ＵＳＢデバイスがＵＳＢホストインタフェース１６０に接続されたことを検出して、省電力モードから通常動作モードに移行したときの動作を図５を参照して説明する。
【００４２】
図５は、ＵＳＢデバイスがＵＳＢホストインタフェース１６０に接続された時に、図１における操作部１１０に表示される画面の一例を示す図である。
【００４３】
図５において、操作部１１０は、表示部１１２を備える。
【００４４】
システムＬＳＩ１０５内のマイクロプロセッサは、ＵＳＢデバイスがＵＳＢホストインタフェース１６０に接続されたことを検出して、省電力モードから通常動作モードに移行したときは、ＵＳＢホストインタフェース１６０に接続されたＵＳＢデバイスにアクセスし、ＵＳＢデバイス内に画像データが格納されているか否かを判別する。
【００４５】
ＵＳＢデバイス内に画像データが格納されているときは、マイクロプロセッサは、ＵＳＢデバイス内に格納された画像データに対して実行すべき処理を選択するための選択画面を表示部１１２に表示する。
【００４６】
表示部１１２に表示された選択画面には、印刷ボタン５０１、保存ボタン５０２、送信ボタン５０３、及びキャンセルボタン５０４が表示されている。ここで、印刷ボタン５０１が押下されると、印刷装置１００は、ＵＳＢデバイス内に格納された画像データを印刷する。保存ボタン５０２が押下されると、印刷装置１００は、ＵＳＢデバイス内に格納された画像データを印刷装置１００内のハードディスク等の記憶装置に保存する。送信ボタン５０３が押下されると、印刷装置１００は、ＵＳＢデバイス内に格納された画像データを電子メールで、ネットワーク上のパソコン等にまたはＦＡＸでＦＡＸ装置などに送信する。キャンセルボタン５０４が押下されると、印刷装置１００は、表示部１１２の選択画面の表示を終了する。
【００４７】
また、図示しないが、ＵＳＢデバイス内に複数の画像データが格納されている場合は、処理を実行すべき画像データの選択を促す画面や、全ての画像データに対する処理の実行を指示するための画面の表示を行う。
【００４８】
ＵＳＢデバイス内に画像データが格納されているときは、システムＬＳＩ１０５内のマイクロプロセッサは、ＵＳＢデバイス内に格納された画像データに対して実行すべき処理を選択するための図５の選択画面を表示部１１２に表示するので、ＵＳＢデバイスがＵＳＢホストインタフェース１６０に接続されたときに、直ちにＵＳＢデバイス内に格納された画像データに対して印刷などの処理を実行し、もって印刷装置１００の操作性を更に向上させることができる。
【００４９】
なお、本実施の形態では、ユーザにより省電キー１１１が押下されたことを検出するか、ＵＳＢデバイスがＵＳＢホストインタフェース１６０に接続されたことを検出すると、省電力モードから通常動作モードへ移行するとしたが、これに限定されるものではなく、タイマーＩＣによるアラームとともに、省電力モードから通常モードへ移行するようにしてもよい。この場合、タイマーＩＣは、例えば毎日朝９時に省電力モードから通常モードへ移行するようにしてもよい。あるいは、ネットワークを介して外部装置から情報を受信したときに省電力モードから通常モードへ移行するようにしてもよい。
【００５０】
また、システムＬＳＩ１０５内のマイクロプロセッサは、アイドル状態が所定期間を超えると、印刷装置１００が通常動作モードから省電力モードへ移行するように制御したが、これに限定されるものではなく、ネットワークを介して接続された外部装置からのリモートＵＩによる制御により通常動作モードから省電力モードへ移行するようにしてもよく、予め設定された時刻、例えば毎日夜８時に通常動作モードから省電力モードへ移行するようにしてもよい。
【００５１】
また、通信手段はＵＳＢホストインタフェース１６０に限定されるものではなく、IEEE1394等のインタフェースであってもよい。
【００５２】
また、上記の実施の形態では、マイクロプロセッサがシステムＬＳＩに内蔵されたシステムオンチップの構成で説明したが、マイクロプロセッサがシステムＬＳＩから独立した即ち別個の構成であってもよい。同様に、ＵＳＢ制御部もシステムＬＳＩから独立した即ち別個の構成であってもよい。
【００５３】
また、本発明の目的は、実施の形態の機能を実現するソフトウェアのプログラムコードを記録した記憶媒体を、システム又は装置に供給し、そのシステム又は装置のコンピュータ（又はＣＰＵやＭＰＵ等）が記憶媒体に格納されたプログラムコードを読み出して実行することによっても達成される。
【００５４】
この場合、記憶媒体から読み出されたプログラムコード自体が前述した実施の形態の機能を実現することになり、そのプログラムコード及び該プログラムコードを記憶した記憶媒体は本発明を構成することになる。
【００５５】
また、プログラムコードを供給するための記憶媒体としては、例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等を用いることができる。又は、プログラムコードをネットワークを介してダウンロードしてもよい。
【００５６】
また、コンピュータが読み出したプログラムコードを実行することにより、上記実施の形態の機能が実現されるだけでなく、そのプログラムコードの指示に基づき、コンピュータ上で稼動しているＯＳ（オペレーティングシステム）等が実際の処理の一部又は全部を行い、その処理によって前述した実施の形態の機能が実現される場合も含まれる。
【００５７】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部又は全部を行い、その処理によって前述した実施の形態の機能が実現される場合も含まれる。
【図面の簡単な説明】
【００５８】
【図１】本発明の実施の形態に係る印刷装置の内部構成を示すブロック図である。
【図２】図１における電力制御部の内部構成を示すブロック図である。
【図３】図１の印刷装置のマイクロプロセッサによって実行される動作モード切換変更処理の手順を示すフローチャートである。
【図４】図３のステップＳ３１１で実行されるＵＳＢデバイス検出処理の手順を示すフローチャートである。
【図５】図１における操作部の表示画面の一例を示す図である。
【符号の説明】
【００５９】
１００  印刷装置
１０５  システムＬＳＩ
１１０  操作部
１１１  省電キー
１２０  電力制御部
１２１，１７４  電圧監視部
１２３  フリップフロップ
１７０  電源
１７１，１７２  ＦＥＴスイッチ
１７３  抵抗器
１６０  ＵＳＢホストインタフェース
【図１】
2007004783.tif 000003
【図２】
2007004783.tif 000004
【図３】
2007004783.tif 000005
【図４】
2007004783.tif 000006
【図５】
2007004783.tif 000007